(57)【特許請求の範囲】
【請求項１】
屋根板は適宜間隔で下面に折曲形成された垂直壁部を有する脚状リブ部を形成し、前記垂直壁部の上端を水平状に折曲して脚状リブ部間は平坦にすると共に、両端部には、脚状リブ部嵌合用折曲縁、または屋根板下面支持縁重合縁を形成し、前記脚状リブ部嵌合用折曲縁は前記脚状リブ部の垂直壁部間に嵌合するか、タイトフレームに形成した凹部に配置し、または前記屋根板下面支持縁重合縁同士は載架重合して屋根板として連結し、該連結した屋根板とタイトフレームとからなる連結屋根を躯体に取り付けたもので、前記タイトフレームに形成した凹部下面に屋根板を形成した脚状リブ部を嵌合させ、所要の取付手段にて取り付けると共に、前記タイトフレームの凹部内底に対して、前記屋根板の脚状リブ部の押拡底部が間隙を有するように配置して嵌合し、かつ前記屋根板の各脚状リブ部間の平坦面を前記タイトフレームに形成した屋根板嵌合用凸部に載架し一体に取り付け、前記平坦面を有する屋根板に断熱材を接着したことを特徴とする軽量・耐火連結屋根。
【請求項２】
請求項１に記載の軽量・耐火連結屋根において、前記屋根板を嵌合するタイトフレームの嵌合用凹・凸部を断面略正・逆の台形状に形成したことを特徴とする軽量・耐火連結屋根。
【請求項３】
請求項１、または請求項２に記載の軽量・耐火連結屋根において、屋根板の上面を防火構造に形成したことを特徴とする軽量・耐火連結屋根。
【請求項４】
請求項１〜３のうち、いずれか１項に記載の軽量・耐火連結屋根において、前記屋根板上にセラミック系不燃板、耐熱・断熱性板、防水材を順次積層状に敷設し、耐熱・防水構造としたことを特徴とする軽量・耐火連結屋根。
【発明の詳細な説明】
【技術分野】
【０００１】
本発明は、通常デッキプレートと称するものを使用し、例えば鉄骨構造物等において、上面がフラットなデッキプレートのフラット面を生かした屋根として用いる軽量・耐火連結屋根に関するものである。
【背景技術】
【０００２】
従来、屋根板の一端部に屋根板下面支持縁を有する脚状リブ部を形成すると共に他端部に脚状リブ部嵌合用折曲縁または屋根板下面支持縁重合縁を形成し、前記脚状リブ部に前記折曲縁を嵌合し、または前記屋根板下面支持縁に前記屋根板下面支持縁重合縁を重合して屋根板を連結するようにした連結屋根と、前記屋根板を駆体に取付けるためのタイトフレームとからなる軽量・耐火連結屋根において、前記駆体に、前記タイトフレームに形成した脚状リブ部嵌合用凹部下面を所要の取付手段にて取付けるとともに、前記脚状リブ部嵌合用凹部内に前記屋根板の脚状リブ部を嵌合し、かつ前記屋根板の各脚状リブ部間に形成したタイトフレーム嵌合用凹・凸部と、前記タイトフレームに形成した屋根板嵌合用凹・凸部を嵌合し一体に取付けるようにした軽量・耐火連結屋根（例えば、特許文献１参照）が存在している。
【特許文献１】特許第３４５３６５３号公報（特許請求の範囲の欄、発明の実施の形態の欄の段落｛０００６｝〜｛００１１｝、及び図１、図７、図８、図１０を参照）
【発明の開示】
【発明が解決しようとする課題】
【０００３】
しかしながら、前記従来技術の軽量・耐火連結屋根では、表面に溝が形成されているため、上面に断熱材を接着することは極めて困難性が高いので、接着せずにビス留めを行っている。また、タイトフレームとの固定に前記溝を利用して固定しているため、タイトフレームが直行していないと施工できないという欠点がある。
さらに、表面に溝の部分が存在しているので、その溝部分に水滴が溜まり、しかも、作業中、溝によって断熱材が割れることが生じるという欠点がある。
本発明の目的は、軽量・耐火連結屋根とタイトフレームに凹凸がないため、施工後に左右への多少のアジャストが可能になり、タイトフレームと軽量・耐火連結屋根が直行していなくても施工ができ、表面がフラットなので、断熱材が割れることがなくなる。さらに、表面をフラットにすることで、働き幅を変更することができるので、製品コスト及び施工能力が向上し、全体のコストを削減することができる。
また、表面がフラットで溝がないので、断熱材の接着が可能である。
さらに天井吊金具の使用が可能になり、ドレン排出部材の取り付けが簡易になり、表面がフラットなため、役物の留め付けビスがどこでも使用可能となった軽量・耐火連結屋根を提供することである。
【課題を解決するための手段】
【０００４】
上記課題を解決するための本発明の第１発明は、請求項１に記載された通りの軽量・耐火連結屋根であり、次のようなものである。
屋根板は適宜間隔で下面に折曲形成された垂直壁部を有する脚状リブ部を形成し、前記垂直壁部の上端を水平状に折曲して脚状リブ部間は平坦にすると共に、両端部には、脚状リブ部嵌合用折曲縁、または屋根板下面支持縁重合縁を形成し、前記脚状リブ部嵌合用折曲縁は前記脚状リブ部の垂直壁部間に嵌合するか、タイトフレームに形成した凹部に配置し、または前記屋根板下面支持縁重合縁同士は載架重合して屋根板として連結し、該連結した屋根板とタイトフレームとからなる連結屋根を躯体に取り付けたもので、前記タイトフレームに形成した凹部下面に屋根板を形成した脚状リブ部を嵌合させ、所要の取付手段にて取り付けると共に、前記タイトフレームの凹部内底に対して、前記屋根板の脚状リブ部の押拡底部が間隙を有するように配置して嵌合し、かつ前記屋根板の各脚状リブ部間の平坦面を前記タイトフレームに形成した屋根板嵌合用凸部に載架し一体に取り付け、前記平坦面を有する屋根板に断熱材を接着した構成である。
【０００５】
上記課題を解決するための本発明の第２発明は、請求項２に記載された通りの軽量・耐火連結屋根であり、次のようなものである。
請求項１記載の発明に加えて、屋根板を嵌合するタイトフレームの嵌合用凹・凸部を断面略正・逆の台形状に形成する構成である。
【０００６】
上記課題を解決するための本発明の第３発明は、請求項３に記載された通りの軽量・耐火連結屋根であり、次のようなものである。
請求項１、または請求項２に記載の発明に加えて、屋根板の上面を防火構造に形成する構成である。
【０００７】
上記課題を解決するための本発明の第４発明は、請求項４に記載された通りの軽量・耐火連結屋根であり、次のようなものである。
請求項１〜請求項３のいずれか１項に記載の発明に加えて、屋根板上にセラミック系不燃板、耐熱・断熱性板、防水材を順次積層状に敷設し、耐熱・防水構造とする構成である。
【発明の効果】
【０００８】
本発明に係る軽量・耐火連結屋根は、上記説明のような構成を有するので、以下に記載する効果を奏する。
（１）表面に溝の部分が存在していないので、その溝部分に水滴が溜まり、しかも、作業中、溝によって断熱材が割れることがない。
（２）軽量・耐火連結屋根とタイトフレームに凹凸がないため、施工後に左右への多少のアジャストが可能になり、タイトフレームと軽量・耐火連結屋根が直行していなくても施工ができる。
（３）表面がフラットなので、断熱材が割れることがなくなる。
（４）表面をフラットにすることで、働き幅を変更することができるので、製品コスト及び施工能力が向上し、全体のコストを削減することができる。
（５）表面がフラットで溝がないので、断熱材の接着が可能である。
（６）天井吊金具の使用が可能になり、ドレン排出部材の取り付けが簡易になり、表面がフラットなため、得物の留め付けビスがどこでも使用可能である。
【発明を実施するための最良の形態】
【０００９】
屋根板は適宜間隔で下面に折曲形成された垂直壁部を有する脚状リブ部を形成し、前記垂直壁部の上端を水平状に折曲して脚状リブ部間は平坦にすると共に、両端部には、脚状リブ部嵌合用折曲縁、または屋根板下面支持縁重合縁を形成し、前記脚状リブ部嵌合用折曲縁は前記脚状リブ部の垂直壁部間に嵌合するか、タイトフレームに形成した凹部に配置し、または前記屋根板下面支持縁重合縁同士は載架重合して屋根板として連結し、該連結した屋根板とタイトフレームとからなる連結屋根を躯体に取り付けたもので、前記タイトフレームに形成した凹部下面に屋根板を形成した脚状リブ部を嵌合させ、所要の取付手段にて取り付けると共に、前記タイトフレームの凹部内底に対して、前記屋根板の脚状リブ部の押拡底部が間隙を有するように配置して嵌合し、かつ前記屋根板の各脚状リブ部間の平坦面を前記タイトフレームに形成した屋根板嵌合用凸部に載架し一体に取り付け、前記平坦面を有する屋根板に断熱材を接着した軽量・耐火連結屋根である。
【実施例】
【００１０】
以下、本発明の一実施例を添付図面で詳細に説明する。
図１（ａ）、（ｂ）は本発明の連結屋根の施工状態の各例を示す正断面図であって、（ａ）は防水構造を設けた場合を示し、（ｂ）は耐熱・断熱・防水構造を設けた場合を示す図、図
２（ａ）、（ｂ）は屋根板の各例を示す正面図であって（ａ）は屋根板の他端側フラット面に脚状リブ部嵌合用折曲縁を形成したものを示し、（ｂ）は同脚状リブ部嵌合用折曲縁を屋根板下面支持縁重合縁（フラット延長部）に形成したものを示す図、図３はタイトフレームの一例を示す正面図、図４は屋根板の一部拡大正断面図、図５はタイトフレームの一部拡大正断面図、図６は連結屋根板の上部に耐熱・断熱・防水構造を構成する以前の施工状態の一例を示す一部拡大正断面図、図７は連結屋根板の上部に耐熱・断熱・防水構造を構成した施工状態の一例を示す一部拡大正断面図、図８（ａ）、（ｂ）は脚状リブ部の他例を示す一部拡大正面図である。
【００１１】
図１、図２、図４、図７において、１は屋根板Ａの下面に折曲形成された垂直壁部１ａ、１ａを有する脚状リブ部であって、下端に押拡底部２を有するとともに前記垂直壁部１ａ、ａの上端は略水平状に折曲され、フラット面３に形成されている。なお、前記屋根板Ａの一端部側脚状リブ部１の垂直壁部１ａ上端のフラット面３は屋根板連結時において屋根板下面支持縁となる。４は前記屋根板Ａの他端側フラット面３に形成した脚状リブ部嵌合用折曲縁、４´は前記他端側フラット面３に載架重合される屋根板下面支持縁重合縁（フラット延長部）である。
【００１２】
５はタイトフレームであって、適宜間隔で略逆台形の凹部からなる脚状リブ部嵌合用凹部８を形成してなるものである。なお、前記脚状リブ部嵌合用凹部８の断面形状は、図５、図６に示す如く、略逆台形状に形成してあるがこれに限定されるものではない。７は屋根板Ａの上面に形成される防水構造であって、詳細に図示しないが、アスファルト層からなるもの、合成ゴム、プラスチック等の防水シートからなるもの、または両者を併用したもの、さらに前記防水構造の下にウレタン、ポリエチレン、ロックウール材等の断熱材を設けたもの、あるいは設けないもの等、連結屋根の施工条件によって適宜選択されるものである。また、例えばセラミック系不燃板７ａ、耐熱・断熱性板７ｂ、防水材７ｃを順次積層状に施設してなるものでも良い。
【００１３】
なお、上記セラミック系不燃板７ａとしては、例えば、けい酸カルシウム板、石膏ボード、木毛セメント板、グラスウール板、ロックウール板およびこれらの合成板等が使用可能であり、また耐熱・断熱性板７ｂとしては、例えばポリイソシアヌレート、フェノール等の合成樹脂系板および上記セラミック系不燃板７ａと同質のものを含むものが使用可能であり、また防水材７ｃとしては、例えば塩化ビニール樹脂、その他の合成樹脂系防水シート、アスファルト防水シート、アルミ箔その他の金属系防水シート、ゴム、合成ゴム系防水シートの他、ステンレス防水板、鉛防水板、着色溶融亜鉛メッキ銅板等の金属系防水板等が使用可能であるがこれらは連結屋根の施工条件によって適宜選択使用されるものである。８は躯体（梁、母屋等）を示すものである。
【００１４】
また、上記セラミック系不燃板７ａ、耐熱・断熱性板７ｂ、防水材７ｃは屋根の大きさにより１枚敷き、あるいは複数枚敷きに構成することは任意であり、またその止着手段は、例えばビス、針等の止着材９、あるいは接着剤（図示せず）等による止着手段により一体に取付けられているものである。
【００１５】
なお、施工に際し、上記各セラミック系不燃板７ａ、耐熱・断熱性板７ｂを止着材９により止着した後、加熱によりデスクの塩ビコートを溶融し、その上に塩化ビニール樹脂系防水シート７ｃを敷設して一体に取付けるようにしたものである。
なお、前記屋根板Ａの脚状リブ部１の押拡底部２の断面形状は図８（ａ）、（ｂ）に示すように三角形、四角形その他種々の形態のものでも用いることができる。
【００１６】
次に作用について説明する。
施工に際しては、まず躯体８に、図６に示すように、タイトフレーム５の脚状リブ部嵌合用凹部６の下面部６ａを溶接、ビスその他適宜の取付手段により取付けるとともに、前記タイトフレーム５の脚状リブ部嵌合用凹部６内に、前記屋根板Ａの各脚状リブ部１を嵌合し、前記脚状リブ部１の押拡底部２を前記タイトフレーム５に、屋根板Ａの上面に施工条件によって図１の（ａ）に示すような防水構造、または同図（ｂ）に示すように、セラミック系不燃板７ａ、耐熱・断熱性板７ｂ、防水材７ｃよりなる断熱・防水構造７を形成するものである。
【００１７】
なお、上記施工に際し、前記屋根板Ａの押拡底部２とタイトフレーム５の一体取付けを行わない場合もある。
【産業上の利用可能性】
【００１８】
屋根に限定されることなく、壁等にも種々利用できものである。
【図面の簡単な説明】
【００１９】
【図１】（ａ）、（ｂ）は本発明の連結屋根の施工状態の各例を示す正断面図である。
【図２】（ａ）、（ｂ）は屋根板の各例を示す正面図である。
【図３】タイトフレームの一例を示す正面図である。
【図４】屋根板の一部拡大正面図である。
【図５】タイトフレームの一部拡大正面図である。
【図６】連結屋根板の上部に耐熱・断熱・防水構造を構成する以前の施工状態の一例を示す一部拡大正断面図である。
【図７】連結屋根板の上部に耐熱・断熱・防水構造を構成した施工状態の一例を示す一部拡大正断面図である。
【図８】（ａ）、（ｂ）は脚状リブ部の他例を示す一部拡大正面図である。
【符号の説明】
【００２０】
１・・・・脚状リブ部                        １ａ・・・・垂直壁部
２・・・・押拡底部                            ３・・・・フラット面
４・・・・脚状リブ部嵌合用折曲縁            ４´・・・・屋根板下面支持縁重合縁
５・・・・タイトフレーム                      ６・・・・脚状リブ部嵌合用凹部
７・・・・防水構造                          ７ａ・・・・セラミック系不燃
７ｂ・・・・耐熱・断熱性板                    ７ｃ・・・・防水板
８・・・・躯体（梁、母屋等）                  ９・・・・止着材
Ａ・・・・屋根板
【図１】
0004785495.tif 000002
【図２】
0004785495.tif 000003
【図３】
0004785495.tif 000004
【図４】
0004785495.tif 000005
【図５】
0004785495.tif 000006
【図６】
0004785495.tif 000007
【図７】
0004785495.tif 000008
【図８】
0004785495.tif 000009